(57)【要約】【課題】優れた操作性を具備する吐出容器を提供する。【解決手段】吐出容器１は、容器本体２と、容器本体２の口部２ａに装着される装着キャップ３と、装着キャップ３に、上方付勢状態で下方移動可能に貫設されたステム７を有するポンプ４と、ステム７の上端に装着された押下ヘッド５と、押下ヘッド５を覆うカバー体６と、下降端位置に位置する押下ヘッド５が螺着され、押下ヘッド５およびステム７の上方移動を規制する規制筒１２と、を備える。カバー体６には、規制筒１２に形成された貫通孔３５に挿入された係合突部７３が形成されている。係合突部７３には、破断可能な弱化部が形成されている。係合突部７３は、カバー体６の、容器軸Ｏ方向に沿う押下ヘッド５に対する離脱方向への移動が規制された状態で、貫通孔３５に挿入されている。【選択図】図１
2018016378.tif 000002
【特許請求の範囲】
【請求項１】
内容物が収容される容器本体と、
前記容器本体の口部に装着される有頂筒状の装着キャップと、
前記装着キャップに、上方付勢状態で下方移動可能に貫設されたステムを有するポンプと、
前記ステムの上端に装着されるとともに、吐出孔が形成された押下ヘッドと、
前記押下ヘッドを覆うカバー体と、
下降端位置に位置する前記押下ヘッドが螺着され、前記押下ヘッドおよび前記ステムの上方移動を規制する規制筒と、を備え、
前記カバー体および前記規制筒のうちいずれか一方には、他方に形成された係合凹部に挿入された係合突部が形成され、
前記係合突部には、破断可能な弱化部が形成され、
前記係合突部は、前記カバー体の、容器軸方向に沿う前記押下ヘッドに対する離脱方向への移動が規制された状態で、前記係合凹部に挿入されている、
ことを特徴とする吐出容器。
【請求項２】
前記係合凹部は、周方向に延びる長孔とされている、
ことを特徴とする請求項１に記載の吐出容器。
【請求項３】
前記係合突部は、前記カバー体から下方に向けて突出し、
前記係合凹部は、前記規制筒に形成され、かつ上下方向に貫通する貫通孔とされている、
ことを特徴とする請求項１または２に記載の吐出容器。
【発明の詳細な説明】
【技術分野】
【０００１】
本発明は、吐出容器に関するものである。
【背景技術】
【０００２】
従来、内容物が収容される容器本体と、容器本体の口部に装着される有頂筒状の装着キャップと、装着キャップに上方付勢状態で下方移動可能に貫設されたステムを有するポンプと、ステムの上端に装着されるとともに、吐出孔が形成された押下ヘッドと、を備え、ポンプが、下降端位置に位置する押下ヘッドが螺着され、押下ヘッドおよびステムの上方移動を規制する規制筒を備えた吐出容器が知られている。
【０００３】
この種の吐出容器では、未使用時において意図的または不意に加えられた外力によって内容物が吐出されてしまうことを防止するために、例えば下記特許文献１に示されるような、下降端位置に位置する押下ヘッドを覆うカバー筒を備える構成が知られている。この吐出容器では、カバー筒に弱化部によって除去帯が区画されていて、弱化部を破断し除去帯を除去することで、カバー筒のうち押下ヘッドを覆う上側部分を除去することができる。そしてカバー筒の上側部分を除去することで、押下ヘッドを規制筒に対して緩み方向に回転移動させることができる。
【先行技術文献】
【特許文献】
【０００４】
【特許文献１】特開２００６−８９１１０号公報
【発明の概要】
【発明が解決しようとする課題】
【０００５】
しかしながら、前記従来の吐出容器では、まずカバー筒の上側部分を除去した後に、押下ヘッドを規制筒に対して緩み方向に回転させ、押下ヘッドの規制筒に対する螺着を解除し、押下ヘッドをステムとともに上昇移動させるので、内容物を吐出可能な状態へ移行する際の操作性に改善の余地があった。
【０００６】
そこで本発明は、前述した事情に鑑みてなされたものであって、優れた操作性を具備する吐出容器を提供するものである。
【課題を解決するための手段】
【０００７】
前記課題を解決するために、本発明は以下の手段を提案している。
本発明の吐出容器は、内容物が収容される容器本体と、前記容器本体の口部に装着される有頂筒状の装着キャップと、前記装着キャップに、上方付勢状態で下方移動可能に貫設されたステムを有するポンプと、前記ステムの上端に装着されるとともに、吐出孔が形成された押下ヘッドと、前記押下ヘッドを覆うカバー体と、下降端位置に位置する前記押下ヘッドが螺着され、前記押下ヘッドおよび前記ステムの上方移動を規制する規制筒と、を備え、前記カバー体および前記規制筒のうちいずれか一方には、他方に形成された係合凹部に挿入された係合突部が形成され、前記係合突部には、破断可能な弱化部が形成され、前記係合突部は、前記カバー体の、容器軸方向に沿う前記押下ヘッドに対する離脱方向への移動が規制された状態で、前記係合凹部に挿入されている、ことを特徴とする。
【０００８】
本発明によれば、カバー体および規制筒のうちいずれか一方には、他方に形成された係合凹部に挿入された係合突部が形成されている。このため、カバー体を規制筒に対して容器軸回りに回転させた際に、係合凹部および係合突部の相対的な容器軸回りの回転移動を抑止して弱化部を破断させることで、押下ヘッドを規制筒に対して緩み方向に回転させること、およびカバー体を押下ヘッドから除去することができる状態となる。その後引き続き、押下ヘッドを規制筒に対して緩み方向に回転させることで、押下ヘッドの規制筒に対する螺着が解除され、押下ヘッドおよびステムを上昇させることができる。
以上により、押下ヘッドおよびカバー体の規制筒に対する回転操作だけで、弱化部の破断、つまりカバー体の除去と、押下ヘッドの規制筒に対する螺着の解除と、の双方を行うことが可能になり、優れた操作性を具備させることができる。
しかも、弱化部の破断によって、係合突部の少なくとも一部がカバー体および規制筒のうちのいずれか一方から分離されることとなり、この吐出容器の外観を当初と比べて変化させることが可能になり、カバー体が外されたことがあるか否かの判別を容易に行わせることができる。
【０００９】
上記の吐出容器において、前記係合凹部は、周方向に延びる長孔とされていてもよい。
【００１０】
本発明によれば、カバー体の位置を規制筒に対して周方向に精度良く位置決めしなくても、係合突部を係合凹部に挿入することができる。したがって、吐出容器の組み立てを容易に行うことができる。
【００１１】
上記の吐出容器において、前記係合突部は、前記カバー体から下方に向けて突出し、前記係合凹部は、前記規制筒に形成され、かつ上下方向に貫通する貫通孔とされていてもよい。
【００１２】
本発明によれば、弱化部の破断により、係合突部のうち弱化部より下方に位置している部分を自重により落下させることが可能になり、カバー体が外されたことがあるか否かを容易に判別させることができる。
【発明の効果】
【００１３】
本発明によれば、押下ヘッドおよびカバー体の規制筒に対する回転操作だけで、弱化部の破断、つまりカバー体の除去と、押下ヘッドの規制筒に対する螺着の解除と、の双方を行うことが可能になり、優れた操作性を具備させることができる。
【図面の簡単な説明】
【００１４】
【図１】第１実施形態の吐出容器の半断面図である。
【図２】図１のＡ部の拡大図である。
【図３】図２のＩＩＩ−ＩＩＩ線に相当する部分における断面図である。
【図４】第１実施形態の吐出容器の説明図であって、図２のＩＩＩ−ＩＩＩ線に相当する部分における断面図である。
【図５】第２実施形態の吐出容器の規制筒の平面図である。
【図６】第２実施形態の吐出容器の説明図であって、図１のＡ部に相当する部分における断面図である。
【図７】図６のＶＩＩ−ＶＩＩ線に相当する部分における断面図である。
【図８】第３実施形態の吐出容器の半断面図である。
【図９】第３実施形態の吐出容器の規制筒の底面図である。
【発明を実施するための形態】
【００１５】
以下、本発明の実施形態を図面に基づいて説明する。
［第１実施形態］
最初に第１実施形態の吐出容器１について説明する。
図１に示すように、本実施形態の吐出容器１は、内容物が収容される容器本体２と、容器本体２の口部２ａに装着される有頂筒状の装着キャップ３と、装着キャップ３に、上方付勢状態で下方移動可能に貫設されたステム７を有するポンプ４と、ステム７の上端に装着されるとともに、吐出孔５ａが形成された押下ヘッド５と、押下ヘッド５を覆うカバー体６と、を備えている。
【００１６】
ステム７および押下ヘッド５は、未使用時の段階では、図１に示す下降端位置に位置しているとともに、押下ヘッド５が後述する規制筒１２に螺着して保持されることで、上昇移動がともに規制されている。一方、内容物を吐出可能な状態では、ステム７および押下ヘッド５は上昇端位置に位置して、押下のための待機状態を維持している（図示略）。そして、カバー体６が押下ヘッド５から外された状態で、押下ヘッド５を押下してステム７を下方に移動させポンプ４を作動させることにより、容器本体２内の内容物が移送されて吐出孔５ａから吐出されるようになっている。
【００１７】
なお、容器本体２および装着キャップ３は、それぞれの中心軸が共通軸上に位置された状態で配設されている。本実施形態では、この共通軸を容器軸Ｏといい、容器軸Ｏに沿った押下ヘッド５側を上側、その反対側を下側という。また、容器軸Ｏ方向から見た平面視において、容器軸Ｏに直交する方向を径方向といい、容器軸Ｏ回りに周回する方向を周方向という。
【００１８】
装着キャップ３は、環状の天壁部３ａを有する有頂筒状に形成され、容器本体２の口部２ａに螺着されている。天壁部３ａは、後述するシリンダ１０のフランジ部２０上に配置されている。なお、天壁部３ａの内側には、シリンダ１０のうちフランジ部２０より上方に位置する突出筒部２３が、天壁部３ａの内周縁に対して隙間をあけた状態で挿通されている。
【００１９】
装着キャップ３の周壁部の下端縁には、環状のダンパーエビデント部１３が連設されている。装着キャップ３の周壁部の下端縁とダンパーエビデント部１３の上端縁とは、破断可能な容易破断部１５を介して連結されている。容易破断部１５は、周方向に間隔をあけて複数配置されている。なお、容易破断部１５を全周に亘って連続して延びる薄肉部等で形成してもよい。ダンパーエビデント部１３の内周面には、径方向の内側に向かうに従い漸次上方に向けて延びる爪部１４が周方向に間隔をあけて複数形成されている。爪部１４の上端縁は、容器本体２の口部２ａに形成された突起２ｂにこの突起２ｂの下方から係合している。
【００２０】
ポンプ４は、容器本体２の口部２ａ内に挿入された状態で装着キャップ３によって保持されるとともに、内側にステム７が上方に向けて立設されたシリンダ１０と、シリンダ１０の上端部に装着されるとともに、下降端位置に位置する押下ヘッド５が螺着され、押下ヘッド５およびステム７の上方移動を規制する規制筒１２と、を備えている。
【００２１】
シリンダ１０は、上端にフランジ部２０が設けられた直筒部２１と、直筒部２１の上端から上方に向けて延び、フランジ部２０より上方に位置する突出筒部２３と、を備えている。
フランジ部２０は、直筒部２１の上端から径方向の外側に向けて突出し、直筒部２１の全周に亘って延びている。フランジ部２０は、シールリング２４を挟んで容器本体２の口部２ａの上端開口縁上に配置されている。
【００２２】
規制筒１２は、有頂筒状をなしており、天壁３０および周壁３１を有している。天壁３０は、環状に形成され、その内側にはステム７が挿通されている。周壁３１の下端縁は、装着キャップ３の天壁部３ａの上面に当接または近接している。また、規制筒１２には、天壁３０の下面から下方に延びる内筒部３２と、天壁３０の内周縁から上下両側に延びるガイド筒部３３と、天壁３０の外周縁から径方向外側に張り出す張出部３４と、が形成されている。
【００２３】
内筒部３２は、シリンダ１０における突出筒部２３に対し、例えばアンダーカット嵌合により外嵌されている。内筒部３２の下端部は、装着キャップ３の天壁部３ａの内周縁と突出筒部２３との隙間に配置されている。ガイド筒部３３の内側には、ステム７が挿通されている。ガイド筒部３３のうち天壁３０との接続部より下側の部分は、突出筒部２３の内側に配置されている。ガイド筒部３３のうち天壁３０との接続部より上側の部分の外周面には、押下ヘッド５の後述する本体筒部６０に螺着する雄ネジ部３３ａが形成されている。雄ネジ部３３ａは、２条ネジとされている。
【００２４】
張出部３４は、周方向に沿って全周に亘って延びている。張出部３４には、上下方向に貫通する貫通孔３５（係合凹部）が周方向に等間隔で４つ形成されている。図２に示すように、貫通孔３５の内面のうち径方向の内側に位置し、径方向の外側を向く面は、規制筒１２の周壁３１の外周面と面一になっている。また、貫通孔３５の内面のうち径方向の外側に位置し、径方向の内側を向く面は、上方から下方に向かうに従い径方向の開口幅が漸次狭まるように傾斜している。また、図３に示すように、貫通孔３５の内面のうち周方向の両端に位置する面は、上方から下方に向かうに従い周方向の開口幅が漸次狭まるように傾斜している。さらに、図２に示すように、張出部３４の外周縁部には、下方に向かって突出する支持突部３６が形成されている。支持突部３６は、貫通孔３５よりも径方向外側に位置し、周方向に沿って全周に亘って延びている。
【００２５】
図１に示すように、押下ヘッド５は、有頂筒状の本体筒部６０と、本体筒部６０の頂壁６０ａから下方に向けて延設され、ステム７の上端に装着される装着筒部６１と、本体筒部６０から径方向外側（前方）に突出するとともに内部が装着筒部６１内に連通し、先端に吐出孔５ａが形成されたノズル部６２と、装着筒部６１よりも径方向の外側において本体筒部６０の頂壁６０ａから下方に向けて延設され、規制筒１２のガイド筒部３３に螺着されるネジ筒部６３と、を備えている。本体筒部６０、装着筒部６１およびネジ筒部６３は、容器軸Ｏと同軸に配設されている。
【００２６】
本体筒部６０の周壁６０ｂは、規制筒１２の周壁３１と略同径に形成されている。本体筒部６０の周壁６０ｂの下端縁は、規制筒１２の天壁３０の上面に当接または近接している。
装着筒部６１は、ステム７の内側に密に嵌合している。装着筒部６１の外周面には、上下方向に沿って延在する縦リブ６１ａが周方向に間隔をあけて複数形成されている。縦リブ６１ａの下端縁は、ステム７の上端縁に上方から当接している。
【００２７】
ノズル部６２は、規制筒１２の４つの貫通孔３５のうちいずれか１つの貫通孔３５と周方向の同じ位置に配置されている。
ネジ筒部６３の内周面には、規制筒１２の雄ネジ部３３ａに螺着する雌ネジ部６３ａが形成されている。ネジ筒部６３は、押下ヘッド５が下降端位置に位置しているときに、規制筒１２に螺着される。
【００２８】
カバー体６は、有頂筒状に形成され、押下ヘッド５を上方から覆っている。具体的に、カバー体６は、押下ヘッド５の本体筒部６０を覆う本体カバー部７０と、押下ヘッド５のノズル部６２を覆うノズルカバー部７１と、を有する。
【００２９】
本体カバー部７０の内側には、押下ヘッド５の本体筒部６０が挿入されている。本体カバー部７０は、押下ヘッド５の本体筒部６０の頂壁６０ａを上方から覆う頂壁部７０ａと、頂壁部７０ａの外周縁から下方に向かって延設された周壁部７０ｂと、周壁部７０ｂの下端縁から径方向外側へ向けて突出するとともに周方向に沿って延びる鍔部７０ｃと、を有する。本体カバー部７０の周壁部７０ｂには、押下ヘッド５のノズル部６２が挿通される切欠部７０ｄが形成されている。切欠部７０ｄは、周壁部７０ｂにおける容器軸Ｏ方向の全長に亘って形成され、下方に向けて開口している。本体カバー部７０の周壁部７０ｂの下端縁、および鍔部７０ｃの下面は、規制筒１２の張出部３４に上方から当接または近接している。
【００３０】
ノズルカバー部７１は、ノズル部６２を上方から覆う頂部７１ａと、頂部７１ａから下方に向けて延設された側壁部７１ｂと、を有する。ノズルカバー部７１の頂部７１ａは、本体カバー部７０の頂壁部７０ａと滑らかに連なっている。ノズルカバー部７１の側壁部７１ｂは、ノズル部６２を前方および側方から覆っている。ノズルカバー部７１の側壁部７１ｂにおける径方向内側の端縁は、本体カバー部７０の周壁部７０ｂにおける切欠部７０ｄの開口周縁部と連なっている。
【００３１】
本体カバー部７０には、周壁部７０ｂの下端縁から下方に向けて突出し、規制筒１２の貫通孔３５に挿入された３個の係合突部７３が形成されている（図１では２個のみ図示）。３個の係合突部７３は、規制筒１２の４つの貫通孔３５のうち、押下ヘッド５のノズル部６２とは周方向の異なる位置に設けられた３個の貫通孔３５に挿入されている。すなわち３個の係合突部７３は、容器軸Ｏを径方向に挟んで切欠部７０ｄの反対側の位置、およびその位置から周方向の両側に９０°ずれた各位置に、９０°間隔で設けられている。
【００３２】
図２および図３に示すように、各係合突部７３は、容器軸Ｏ方向に破断可能な一対の弱化部７２と、一対の弱化部７２に接続された基部７４と、基部７４から周方向の両側に向かって突出する一対の係止腕部７５と、を備えている。一対の弱化部７２は、周方向に間隔をあけて配置されている。各弱化部７２は、本体カバー部７０の周壁部７０ｂの下端縁から下方に突出している。各弱化部７２は、上方から下方に向かうに従い周方向および径方向の幅が漸次広がるように形成されている。弱化部７２の上端縁は、周方向および径方向の長さが短くなっているので、破断しやすくなっている。各弱化部７２は、規制筒１２の貫通孔３５内に上方から挿通されるとともに、下端部が貫通孔３５の下端開口よりも下方に突出している。
【００３３】
基部７４は、径方向に厚みを有する板状に形成され、径方向から見て、上部が周方向および容器軸Ｏ方向の双方向に延びる矩形状に形成され、下部が上方から下方に向かうに従い周方向の大きさが漸次狭くなる三角形状を呈する。基部７４は、その上端縁における径方向の内側の部分において、一対の弱化部７２の下端部に接続されている。基部７４の上端縁における径方向外側の部分は、支持突部３６よりも径方向の内側に位置するとともに、規制筒１２の下面における貫通孔３５の開口周縁に容器軸Ｏ方向で対向している。
【００３４】
各係止腕部７５は、基部７４から周方向の外側に向かって延びるとともに上方に向かって湾曲している。各係止腕部７５の上端縁は、基部７４の上端縁と容器軸Ｏ方向の同じ位置に位置するとともに、規制筒１２の下面における貫通孔３５の開口周縁に上下方向で対向している。
【００３５】
基部７４の上端縁、および各係止腕部７５の上端縁が規制筒１２の下面における貫通孔３５の開口周縁に引っ掛かることで、係合突部７３が貫通孔３５を上方に通過することを防止している。これにより、カバー体６は、容器軸Ｏ方向に沿う押下ヘッド５に対する離脱方向（上方）への移動が規制されている。
【００３６】
次に、上述のように構成された吐出容器１を使用する場合について説明する。
はじめに、吐出容器１の使用を開始するにあたって、カバー体６を取り外す。カバー体６には、規制筒１２の貫通孔３５に挿入された係合突部７３が形成されている。このため、カバー体６を規制筒１２に対して容器軸Ｏ回りに回転させた際に、係合突部７３が規制筒１２の下面における貫通孔３５の開口周縁に引っ掛かることにより、貫通孔３５および係合突部７３の相対的な容器軸Ｏ回りの回転移動を抑止して弱化部７２を周方向に沿って破断させることで、カバー体６と規制筒１２との係合を解除できる。これにより、押下ヘッド５を規制筒１２に対して緩み方向に回転させること、およびカバー体６を押下ヘッド５から除去することができる状態となる。
【００３７】
その後引き続き、下降端位置に位置する押下ヘッド５を規制筒１２に対して緩み方向に回転させることで、押下ヘッド５の規制筒１２に対する螺着が解除され、押下ヘッド５およびステム７を上昇させることができる。これにより、吐出容器１は、押下ヘッド５およびステム７を押下して内容物を吐出可能な状態となる。
【００３８】
以上により、押下ヘッド５およびカバー体６の規制筒１２に対する回転操作だけで、弱化部７２の破断、つまりカバー体６の除去と、押下ヘッド５の規制筒１２に対する螺着の解除と、の双方を行うことが可能になり、優れた操作性を具備させることができる。
【００３９】
しかも、弱化部７２の破断によって、係合突部７３がカバー体６から分離されることとなり、この吐出容器１の外観を当初と比べて変化させることが可能になる。このため、カバー体６が外されたことがあるか否かの判別を容易に行わせることができる。特に図４に示すように、径方向外側から見て係合突部７３に遮蔽された部分（本実施形態では規制筒１２の周壁３１の外周面）に「開封」の文字を形成しておくことで、係合突部７３がカバー体６から分離された際に「開封」の文字を視認させることが可能となるので、カバー体６が外されたことがあるか否かの判別をより容易に行わせることができる。
【００４０】
また、係合突部７３は、カバー体６から下方に向けて突出し、貫通孔３５は、規制筒１２に形成され、かつ上下方向に貫通している。このため、弱化部７２の破断により、係合突部７３のうち弱化部７２の破断箇所よりも下方に位置している部分を自重により落下させることが可能になる。これにより、カバー体６が外されたことがあるか否かを容易に判別させることができる。
【００４１】
また、装着キャップ３の周壁部の下端縁には、容易破断部１５を介してダンパーエビデント部１３が連設されている。ダンパーエビデント部１３の内周面に形成された爪部１４の上端縁は、容器本体２の口部２ａに形成された突起２ｂにこの突起２ｂの下方から係合している。このため、装着キャップ３を容器本体２に対して緩み方向に回転させて、装着キャップ３を容器本体２に対して上昇させることにより、容易破断部１５が破断されて、ダンパーエビデント部１３が容器本体２に残存される。したがって、装着キャップ３が外されたことがあるか否かを容易に判断させることができる。
【００４２】
なお、本実施形態では、係合突部７３が周方向に９０°間隔で３個設けられ、貫通孔３５が９０°間隔で４つ形成されているが、これに限定されず、貫通孔３５は係合突部７３と同数形成される構成であってもよい。ただし、本実施形態では、押下ヘッド５と規制筒１２との螺着に用いられる雄ネジ部３３ａおよび雌ネジ部６３ａが２条ネジであるため、押下ヘッド５と規制筒１２との螺着後の位置関係、すなわち押下ヘッド５を覆うカバー体６と規制筒１２との位置関係が１８０°ずれる場合がある。このため、容器軸Ｏに対する２回対称となるように貫通孔３５を９０°間隔で４つ形成することで、カバー体６と規制筒１２との位置関係によらず３個の係合突部７３を確実に貫通孔３５に挿入させることができる。
【００４３】
［第２実施形態］
次に第２実施形態の吐出容器１０１について説明する。
なお、この第２実施形態においては、第１実施形態における構成要素と同一の部分については同一の符号を付し、その説明を省略し、異なる点についてのみ説明する（以下の実施形態についても同様）。
【００４４】
図５に示すように、規制筒１１２の張出部３４には、上下方向に貫通する貫通孔１３５（係合凹部）が周方向に等間隔で４つ形成されている。各貫通孔１３５は、周方向に延びる長孔とされている。
【００４５】
図６および図７に示すように、カバー体６の本体カバー部７０には、周壁部７０ｂの下端縁から下方に向けて突出し、規制筒１１２の貫通孔１３５に挿入された３個の係合突部１７３が形成されている。３個の係合突部１７３は、規制筒１１２の４つの貫通孔１３５のうち、押下ヘッド５のノズル部６２（図１参照）とは周方向の異なる位置に設けられた３個の貫通孔１３５に挿入されている。
【００４６】
図７に示すように、各係合突部１７３は、一対の弱化部７２と、一対の弱化部７２に接続された基部１７４と、を備えている。基部１７４は、径方向から見て、上部が周方向および容器軸Ｏ方向の双方向に延びる矩形状に形成され、下部が上方から下方に向かうに従い周方向の大きさが漸次狭くなる三角形状を呈する。基部１７４の周方向の寸法は、規制筒１１２の貫通孔１３５の周方向における開口幅よりも小さくなっている。また、図６に示すように、基部１７４は、周方向から見て上端部が上下方向に一定の厚さを有し、上端部以外の部分が上方から下方に向かうに従い漸次薄くなっている。
【００４７】
図６および図７に示すように、基部１７４は、その上端縁における径方向の内側の部分において、一対の弱化部７２の下端部に接続されている。基部１７４の上端縁における径方向の外側の部分は、支持突部３６よりも径方向の内側に位置するとともに、規制筒１１２の下面における貫通孔１３５の開口周縁に容器軸Ｏ方向で対向している。これにより、基部１７４の上端縁が規制筒１１２の下面における貫通孔１３５の開口周縁に引っ掛かり、係合突部１７３が貫通孔１３５を上方に通過することを防止している。これにより、カバー体６は、容器軸Ｏ方向に沿う押下ヘッド５に対する離脱方向（上方）への移動が規制されている。
【００４８】
このように構成された吐出容器１０１であっても、第１実施形態の吐出容器１と同様に、押下ヘッド５およびカバー体６の規制筒１１２に対する回転操作だけで、弱化部７２の破断、つまりカバー体６の除去と、押下ヘッド５の規制筒１１２に対する螺着の解除と、の双方を行うことが可能になり、優れた操作性を具備させることができる。
【００４９】
また、貫通孔１３５は、周方向に延びる長孔とされているので、カバー体６の位置を規制筒１１２に対して周方向に精度良く位置決めしなくても、カバー体６が図５中の２点鎖線により示す範囲内に位置すれば、係合突部１７３を貫通孔１３５に挿入することができる。したがって、吐出容器１０１の組み立てを容易に行うことができる。
【００５０】
［第３実施形態］
次に第３実施形態の吐出容器２０１について説明する。
図８および図９に示すように、規制筒２１２は、有頂筒状をなしており、天壁２３０および周壁２３１を有している。天壁２３０は、カバー体６の本体カバー部７０と略同径に形成されている。天壁２３０には、上下方向に貫通する貫通孔３５（係合凹部）が周方向に等間隔で４つ形成されている。周壁２３１は、天壁２３０の外周縁から下方に向けて延設された外周壁２３１ａと、周方向における貫通孔３５と同じ位置において径方向内側に窪む４個の凹部２３１ｂと、を有する。外周壁２３１ａは、径方向から見て貫通孔３５と重ならない位置、すなわち周方向における貫通孔３５とは異なる位置に間欠的に設けられている。外周壁２３１ａの外径は、カバー体６の本体カバー部７０の外径と略一致している。各凹部２３１ｂは、容器軸Ｏ方向から見て貫通孔３５を避けるように形成されている。
【００５１】
このように構成された吐出容器２０１であっても、第１実施形態の吐出容器１と同様に、押下ヘッド５およびカバー体６の規制筒２１２に対する回転操作だけで、弱化部７２の破断、つまりカバー体６の除去と、押下ヘッド５の規制筒２１２に対する螺着の解除と、の双方を行うことが可能になり、優れた操作性を具備させることができる。
【００５２】
また、規制筒２１２の周壁２３１における外周壁２３１ａの外径は、カバー体６における本体カバー部７０の外径と略一致しているので、カバー体６から規制筒２１２に亘って凹凸の少ない外形形状を形成することができる。したがって、外観性を向上させることができる。
【００５３】
なお、本発明は、図面を参照して説明した上述の実施形態に限定されるものではなく、その技術的範囲において様々な変形例が考えられる。
例えば、上記各実施形態においては、貫通孔３５，１３５が規制筒１２，１１２，２１２に形成され、係合突部７３，１７３がカバー体６に連結されているが、これに限定されず、貫通孔がカバー体に形成され、係合突部が規制筒に連結されていてもよい。
また、上記各実施形態においては、押下ヘッド５と規制筒１２とが２条ネジにより螺着されているが、これに限定されず、１条ネジや条数が３以上の多条ネジにより螺着されてもよい。
【００５４】
また、上記各実施形態においては、係合突部７３，１７３が３個設けられているが、これに限定されず、係合突部は何個設けられていてもよい。また、貫通孔の個数も特に限定されない。ただし、押下ヘッド５と規制筒１２とが多条ネジにより螺着される場合には、その条数をｎとして、貫通孔を容器軸Ｏに対するｎ回対称となるように設けることが望ましい。これにより、上記第１実施形態において押下ヘッド５と規制筒１２とが２条ネジにより螺着される場合で説明したように、カバー体６と規制筒１２との位置関係によらず全ての係合突部を確実に貫通孔に嵌合させることができる。
【００５５】
また、上記各実施形態においては、弱化部７２の上端縁が破断可能に形成されているが、これに限定されず、例えば弱化部の下端縁が破断可能に形成されていてもよい。
【００５６】
また、上記各実施形態においては、係合突部７３，１７３が上下方向に貫通する貫通孔３５，１３５に挿入されているが、これに限定されず、底面を有する係合凹部に係合突部が挿入される構成であってもよい。
また、上記各実施形態の規制筒１２はポンプ４に備えられているが、本発明はこれに限られず、例えば装着キャップ３に備えられた規制筒１２を採用してもよい。
【００５７】
その他、本発明の趣旨を逸脱しない範囲で、上記した実施の形態における構成要素を周知の構成要素に置き換えることは適宜可能である。
【符号の説明】
【００５８】
１，１０１，２０１…吐出容器  ２…容器本体  ２ａ…容器本体の口部  ３…装着キャップ  ４…ポンプ  ５…押下ヘッド  ５ａ…吐出孔  ６…カバー体  ７…ステム  １２，１１２，２１２…規制筒  ３５，１３５…貫通孔（係合凹部）  ７２…弱化部  ７３，１７３…係合突部  Ｏ…容器軸
【図１】
2018016378.tif 000003
【図２】
2018016378.tif 000004
【図３】
2018016378.tif 000005
【図４】
2018016378.tif 000006
【図５】
2018016378.tif 000007
【図６】
2018016378.tif 000008
【図７】
2018016378.tif 000009
【図８】
2018016378.tif 000010
【図９】
2018016378.tif 000011